(57)【特許請求の範囲】
【請求項１】
個々のパチンコ機に対応するようにその上部に取り付けられ且つトラブル時に遊技者の操作し得る呼出スイッチと該呼出スイッチの操作に基づいて表示駆動される呼出ランプとを内蔵した呼出表示装置を具備したパチンコ島台において、
該パチンコ島台のパチンコ機設置位置の下部からパチンコ島台に対して直交する方向に突設されるカウンター台の上面に、前記呼出ランプを表示駆動するための呼出予備スイッチを設け、
該呼出予備スイッチは、該呼出予備スイッチから延びる配線を収納する配線収納溝がその裏面側に形成された装着台に固着されており、前記配線収納溝に配線を収納した状態で該配線収納溝が前記カウンター台の外表面で隠れるように前記装着台を前記カウンター台に止着し、
前記呼出表示装置に具備された呼出スイッチと前記カウンター台に設けられた呼出予備スイッチのいずれを操作しても前記呼出表示装置に具備された呼出ランプが表示駆動されることを特徴とするパチンコ島台。
【請求項２】
個々のパチンコ機に対応するようにその上部に取り付けられ且つトラブル時に遊技者の操作し得る呼出スイッチと該呼出スイッチの操作に基づいて表示駆動される呼出ランプとを内蔵した呼出表示装置を具備したパチンコ島台において、
該パチンコ島台の各パチンコ機に挟持される玉貸機の前面に、前記呼出ランプを表示駆動するための呼出予備スイッチを設け、
該呼出予備スイッチは、該呼出予備スイッチから延びる配線を収納する配線収納溝がその裏面側に形成された装着台に固着されており、前記配線収納溝に配線を収納した状態で該配線収納溝が前記玉貸機の外表面で隠れるように前記装着台を前記玉貸機に止着し、
前記呼出表示装置に具備された呼出スイッチと前記玉貸機の前面に設けられた呼出予備スイッチのいずれを操作しても前記呼出表示装置に具備された呼出ランプが表示駆動されることを特徴とするパチンコ島台。
【発明の詳細な説明】
【０００１】
【発明の属する技術分野】
本発明は、個々のパチンコ機に対応するようにその上部に取り付けられ且つトラブル時に遊技者の操作し得る呼出スイッチと該呼出スイッチの操作に基づいて表示駆動される呼出ランプとを内蔵した呼出表示装置を具備したパチンコ島台に関するものである。
【０００２】
【従来の技術】
従来、パチンコ遊技においてトラブルが生じたときには、遊技者は、各パチンコ機の上部に位置する呼出表示装置の呼出スイッチを操作することにより、該呼出表示装置の呼出ランプを点灯又は点滅せしめてその旨を報知すると共に、遊技場の管理室に設置してある管理コンピュータにその旨を電送するようになっていた。そして、呼出ランプが作動している状態を見た店員又は管理コンピュータからの指令に基づいて放送される店内放送を聞いた店員が呼出スイッチの操作されたパチンコ機のところまで来て、トラブルを解消するようにしていた。
【０００３】
【発明が解決しようとする課題】
ところで、遊技者が呼出スイッチを操作するときには、操作ハンドルを操作したままの状態で行うときがあり、このようなときに、操作ハンドルと離れた上部位置にある呼出スイッチを操作すると、操作ハンドルへの注意が散漫となって一定の弾発力を保持することができないという不都合があった。また、近年のパチンコ遊技は、老若男女に人気があり、このような状況で特に老人や女性の遊技客にとっては、高い位置にある呼出スイッチを操作することは、苦痛であった。本発明は、上記した事情に鑑みなされたもので、その目的とするところは、呼出表示装置の呼出スイッチの操作を極めて簡単に操作し得るパチンコ島台を提供することにある。
【０００４】
【課題を解決するための手段】
上記した目的を達成するために、請求項１の発明においては、図１及び図２に示すように、個々のパチンコ機２に対応するようにその上部に取り付けられ且つトラブル時に遊技者の操作し得る呼出スイッチ６と該呼出スイッチ６の操作に基づいて表示駆動される呼出ランプ７とを内蔵した呼出表示装置５を具備したパチンコ島台１において、該パチンコ島台１のパチンコ機設置位置の下部からパチンコ島台１に対して直交する方向に突設されるカウンター台８の上面に、呼出ランプ７を表示駆動するための呼出予備スイッチ１０を設け、該呼出予備スイッチ１０は、該呼出予備スイッチ１０から延びる配線１３を収納する配線収納溝１２がその裏面側に形成された装着台１１に固着されており、前記配線収納溝１２に配線１３を収納した状態で該配線収納溝１３が前記カウンター台８の外表面で隠れるように前記装着台１１を前記カウンター台８に止着し、前記呼出表示装置５に具備された呼出スイッチ６と前記カウンター台８に設けられた呼出予備スイッチ１０のいずれを操作しても前記呼出表示装置５に具備された呼出ランプ７が表示駆動されることを特徴とするものであり、このように構成することにより、座って遊技している遊技者が何の苦痛もなく手を伸ばして操作することができる。また、呼出予備スイッチ１０のカウンター台８への装着を簡単且つ確実に行うことができる。
【０００５】
また、請求項２の発明においては、図１及び図５に示すように、個々のパチンコ機２に対応するようにその上部に取り付けられ且つトラブル時に遊技者の操作し得る呼出スイッチ６と該呼出スイッチ６の操作に基づいて表示駆動される呼出ランプ７とを内蔵した呼出表示装置５を具備したパチンコ島台１において、該パチンコ島台１の各パチンコ機２に挟持される玉貸機３の前面に、呼出ランプ７を表示駆動するための呼出予備スイッチ２０を設け、該呼出予備スイッチ２０は、該呼出予備スイッチ２０から延びる配線２２を収納する配線収納溝がその裏面側に形成された装着台２１に固着されており、前記配線収納溝に配線２２を収納した状態で該配線収納溝が前記玉貸機３の外表面で隠れるように前記装着台２１を前記玉貸機３に止着し、前記呼出表示装置５に具備された呼出スイッチ６と前記玉貸機３の前面に設けられた呼出予備スイッチ２０のいずれを操作しても前記呼出表示装置５に具備された呼出ランプ７が表示駆動されることを特徴とするものであり、このように構成することにより、座って遊技している遊技者が何の苦痛もなく手を伸ばして操作することができる。また、呼出予備スイッチ２０の玉貸機３への装着を簡単且つ確実に行うことができる。
【０００６】
【発明の実施の形態】
以下、本発明の実施形態について図面を参照して説明する。まず、図１を参照して実施形態に係るパチンコ島台１の概略について説明する。図１は、パチンコ島台１の部分概略斜視図である。図において、周知のように、パチンコ島台１は、複数のパチンコ機２を背向列設するものであり、各パチンコ機２の間には、玉貸機３も挟持されている。最近のパチンコ機１と玉貸機３との関係は、１対１の関係で設けられており、各玉貸機３の硬貨投入穴３ａに硬貨（例えば、１００円又は５００円）を投入したとき又はカード投入口３ｅにカードを挿入して貸玉選択スイッチ３ｂを押圧することにより、パチンコ玉が玉排出口３ｃに取り付けられる玉誘導部材３ｆによってパチンコ機２の上皿に自動的に払い出される。したがって、この玉貸機３は、遊技者が常に硬貨又はカードを投入し得るように遊技者の手が簡単に延びる位置となっている。なお、貸玉選択スイッチ３ｂは、２つ示されているが、これはカード投入口３ｅにカードが投入されている状態で借り受ける金額を異ならせるために２つのスイッチが設けられるものである。また、図中、３ｄは、硬貨投入口３ａに投入された硬貨が真正のものではないとき、あるいは真正であるか否かが正確に検出できないときに返却するための返却口である。
【０００７】
また、パチンコ島台１の上部には、欄間４が開閉自在に設けられると共に、該欄間４とパチンコ機２との間に呼出表示装置５が設けられている。欄間４は、パチンコ島台１の上部に内蔵されている補給樋での玉詰まり等を点検するために開閉自在に設けられるものであり、図示の実施例の場合には、内部に後述する呼出ランプ７と同じ動作を行うランプを内蔵している。なお、補給樋は、パチンコ島台１内部で循環しているパチンコ玉を各パチンコ機２や玉貸機３に補給するものである。また、呼出表示装置５は、トラブル時に遊技者の操作し得る呼出スイッチ６と、該呼出スイッチ６が操作されたときに点灯又は点滅駆動される呼出ランプ７とを有して構成されている。
【０００８】
更に、パチンコ島台１には、パチンコ島台１のパチンコ機２の設置位置の下部からパチンコ島台１に対して直交する方向にカウンター台８が突設されている。このカウンター台８は、遊技者が遊技で獲得した賞球を受け入れる玉箱を載置するために使用されるものであり、座って遊技している遊技者の膝の真上に位置している。したがって、カウンター台８は、遊技者の手が簡単に延びる位置となっている。
【０００９】
上記のように構成されるパチンコ島台１のカウンター台８又は玉貸機３には、前記呼出表示装置５の呼出ランプ７を表示駆動するための呼出予備スイッチ１０，２０が設けられている。まず、図１乃至図４を参照してカウンター台８に設けられる呼出予備スイッチ１０について説明する。図１は、前述した通りであり、図２は、カウンター台用呼出予備スイッチ１０の斜視図であり、図３及び図４は、各種のカウンター台用呼出予備スイッチ１０の斜視図と断面図である。
【００１０】
図２において、呼出予備スイッチ１０は、カウンター台８を挟持するようにコ字状に折り曲げられた装着台１１に取り付けられるようになっている。装着台１１の上面先端部には、遊技者方向に向くように曲折されたスイッチ取付部１４が形成されている。即ち、図１に示すように、呼出予備スイッチ１０は、パチンコ機２の左側に位置するようにカウンター台８に取り付けられるため、スイッチ収納部材１５を介してスイッチ取付部１４に取り付けられる呼出予備スイッチ１０がやや内側を向くようにして操作し易いようにしている。また、スイッチ取付部１４の中央には、配線通し穴１６が穿設され、該配線通し穴１６の裏面から装着台１１の裏側面に沿って配線収納溝１２が形成され、その配線収納溝１２内にスイッチ取付部１４にスイッチ収納部材１５を介して取り付けられる呼出予備スイッチ１０からの配線１３を収納した状態でカウンター台８に取り付けられる。
【００１１】
なお、呼出予備スイッチ１０は、図示の場合、タッチセンサ方式のものであり、遊技者が手で触れることにより、ＯＮ・ＯＦＦするものである。もちろん、タッチセンサ方式ではなく、押しボタンスイッチ方式でも良いが、いずれにしても、呼出予備スイッチ１０がスイッチ収納部材１５に完全に収納された状態で設けられることが望ましい。
【００１２】
上記のように構成される呼出予備スイッチ１０をカウンター台８に取り付けるには、装着台１１に呼出予備スイッチ１０を取り付け且つ配線収納溝１２に配線１３を収納した状態で配線収納溝１２がカウンター台８の外表面で隠れるように前方からカウンター台８に差し込み、配線１３をパチンコ島台１の内部に導き入れて前記呼出表示装置５に接続する。なお、装着台１１のカウンター台８への止着方法は、装着台１１の内周面に両面テープを貼付して止着しても良いし、カウンター台８の裏面からビスで止着しても良い。
【００１３】
また、装着台１１の形状としては、図３（Ａ）（Ｂ）に示すように、上面部の長さの短いものや、図３（Ｃ）（Ｄ）に示すように、上面部の長さの長いもの等の各種のものが考えられる。特に、装着台１１の上面部に呼出予備スイッチ１０が設けられるものは、図１に示すように、カウンター台８を区切る機能もあるため、遊技者の占有し得るカウンター台８の領域が明瞭になるという利点がある。
【００１４】
また、上記した図３に示すカウンター台８は、その断面形状が平板となっているものを示したが、カウンター台８の中には、図４（Ｂ）に示すように、先端部が突出した玉溢れ防止突起８ａを有するものもあるため、このような玉溢れ防止突起８ａを有するカウンター台８に対して装着し得る装着台１１の形状としては、図４（Ａ）に示すように、コ字状の上下幅の間隔が大きく且つ上辺形状がカウンター台８の上辺形状と合致するものを用意し、前方から挿入する際に、装着台１１の下辺とカウンター台８の下辺とを当接させながら挿入し、その後、下方に落として装着台１１の上辺をカウンター台８の上辺に載置する。すると、カウンター台８の裏面と装着台１１の下辺との間に隙間が生じるので、その隙間に間隔保持部材１７を挿入し、該間隔保持部材１７が落下しないように下部からカバー１８を装着することにより、呼出予備スイッチ１０を玉溢れ防止突起８ａを有するカウンター台８に装着することができる。
【００１５】
また、以上、説明した装着台１１は、その上辺に呼出予備スイッチ１０を設けたものを示したが、図４（Ｄ）に示すように、カウンター台８の前端側面に呼出予備スイッチ１０を設けても良い。したがって、この場合には、図４（Ｃ）に示すように、Ｌ字型の装着台１１を用意し、その装着台１１の前面に呼出予備スイッチ１０を取り付けてカウンター台８に止着すれば良い。
【００１６】
以上、説明した実施形態のいずれにおいても、パチンコ島台１のパチンコ機設置位置の下部からパチンコ島台１に対して直交する方向に突設されるカウンター台８の上面に、呼出ランプ７を表示駆動するための呼出予備スイッチ１０を設けたので、座って遊技している遊技者が何の苦痛もなく手を伸ばして操作することができる。
【００１７】
次に、図５及び図６を参照して玉貸機３に設けられる呼出予備スイッチ２０について説明する。図５は、玉貸機３と玉貸機用呼出予備スイッチ２０との関係を示す斜視図であり、図６は、他の玉貸機３と玉貸機用呼出予備スイッチ２０との関係を示す斜視図である。図５において、玉貸機３は、薄幅の直方体状に形成されているが、そのような形状の玉貸機３に対して、玉貸機３の前面と一側面とにかけて当接するようにＬ字型に形成された装着台２１の前面に呼出予備スイッチ２０を取り付ける。装着台２１には、図示しないがその裏面に配線収納溝が形成されており、その配線収納溝に配線２２を収納した状態で配線収納溝が玉貸機３の側面の外表面で隠れるように前方から玉貸機３に差し込み、配線２２をパチンコ島台１の内部に導き入れて前記呼出表示装置５に接続する。なお、パチンコ機２と玉貸機３との間には、通常１００円硬貨等が侵入し得る程度の隙間があるので、装着台２１を玉貸機３の側面に沿って挿入することは、極めて簡単に行うことができる。また、玉貸機３の前面形状が図５のように平面状であれば、そのまま装着台２１を取り付けることができるが、図６に示すように、玉貸機３の前面形状が曲面状であるときには、装着台２１の前辺の裏面に図示のような一側面が湾曲した台座２３を挿入して取り付ければ良い。
【００１８】
このようにパチンコ島台１の各パチンコ機２に挟持される玉貸機３の前面に、呼出ランプ７を表示駆動するための呼出予備スイッチ２０を設けたので、座って遊技している遊技者が何の苦痛もなく手を伸ばして操作することができる。
【００１９】
また、カウンター台用呼出予備スイッチ１０及び玉貸機用呼出予備スイッチ２０のいずれにおいても、該呼出予備スイッチ１０，２０から延びる配線１３，２２を収納する配線収納溝１２（図５では省略）がその裏面側に形成された装着台１１，２１に固着されており、その装着台１１，２１を配線収納溝１２がカウンター台８又は玉貸機３の外表面で隠れるようにカウンター台８又は玉貸機３に止着したことを特徴とするものであり、このように構成することにより、呼出予備スイッチ１０，２０のカウンター台８又は玉貸機３への装着を簡単且つ確実に行うことができる。
【００２０】
なお、カウンター台用呼出予備スイッチ１０を予めカウンター台８に埋め込み形成しておいても良い。また、配線で呼出予備スイッチ１０，２０と呼出表示装置５とを結線するのではなく、無線で行っても良い。
【００２１】
【発明の効果】
以上、説明したところから明らかなように、本発明においては、個々のパチンコ機に対応するようにその上部に取り付けられ且つトラブル時に遊技者の操作し得る呼出スイッチと該呼出スイッチの操作に基づいて表示駆動される呼出ランプとを内蔵した呼出表示装置を具備したパチンコ島台において、該パチンコ島台のパチンコ機設置位置の下部からパチンコ島台１に対して直交する方向に突設されるカウンター台の上面に、呼出ランプを表示駆動するための呼出予備スイッチを設け、該呼出予備スイッチは、該呼出予備スイッチから延びる配線を収納する配線収納溝がその裏面側に形成された装着台に固着されており、配線収納溝に配線を収納した状態で該配線収納溝がカウンター台の外表面で隠れるように装着台をカウンター台に止着し、呼出表示装置に具備された呼出スイッチとカウンター台に設けられた呼出予備スイッチのいずれを操作しても呼出表示装置に具備された呼出ランプが表示駆動されるので、座って遊技している遊技者が何の苦痛もなく手を伸ばして操作することができる。また、呼出予備スイッチのカウンター台への装着を簡単且つ確実に行うことができる。
【００２２】
また、個々のパチンコ機に対応するようにその上部に取り付けられ且つトラブル時に遊技者の操作し得る呼出スイッチと該呼出スイッチの操作に基づいて表示駆動される呼出ランプとを内蔵した呼出表示装置を具備したパチンコ島台において、該パチンコ島台の各パチンコ機に挟持される玉貸機の前面に、呼出ランプを表示駆動するための呼出予備スイッチを設け、該呼出予備スイッチは、該呼出予備スイッチから延びる配線を収納する配線収納溝がその裏面側に形成された装着台に固着されており、配線収納溝に配線を収納した状態で該配線収納溝が玉貸機の外表面で隠れるように装着台を玉貸機に止着し、呼出表示装置に具備された呼出スイッチと玉貸機の前面に設けられた呼出予備スイッチのいずれを操作しても呼出表示装置に具備された呼出ランプが表示駆動されるので、座って遊技している遊技者が何の苦痛もなく手を伸ばして操作することができる。また、呼出予備スイッチの玉貸機への装着を簡単且つ確実に行うことができる。
【図面の簡単な説明】
【図１】  パチンコ島台の部分概略斜視図である。
【図２】  カウンター台用呼出予備スイッチの斜視図である。
【図３】  各種のカウンター台用呼出予備スイッチの斜視図と断面図である。
【図４】  同じく各種のカウンター台用呼出予備スイッチの斜視図と断面図である。
【図５】  玉貸機と玉貸機用呼出予備スイッチとの関係を示す斜視図である。
【図６】  他の玉貸機と玉貸機用呼出予備スイッチとの関係を示す斜視図である。
【符号の説明】
１  パチンコ島台
２  パチンコ機
３  玉貸機
５  呼出表示装置
６  呼出スイッチ
７  呼出ランプ
８  カウンター台
１０  呼出予備スイッチ
１１  装着台
１２  配線収納溝
１３  配線
１４  スイッチ取付部
１５  スイッチ収納部材
１６  配線通し穴
２０  呼出予備スイッチ
２１  装着台
２２  配線
【図１】
0003896600.tif 000002
【図２】
0003896600.tif 000003
【図３】
0003896600.tif 000004
【図４】
0003896600.tif 000005
【図５】
0003896600.tif 000006
【図６】
0003896600.tif 000007